(57)【特許請求の範囲】
【請求項１】
足の長さを測定するための足長測定器であって、該足長測定器は、
（ｉ）足の裏面を載せる足支持板（１５；１１１）を有する足支持体と、
（ｉｉ）足のかかとと接触する踵当接部（１８；１１９）と、
（ｉｉｉ）足の最先端部と接触するつま先当接部（２０；１３２）と、
（ｉｖ）タッチスクリーン電算機器（１２；１３１）を収容および支持する手段（２４；１３０）と、
（ｖ）足の長さを示すために、前記収容および支持する手段（２４；１３０）に収容および支持されたタッチスクリーン電算機器（１２；１３１）のスクリーン（３２；１３６）への接触のために使用される接触手段（３０；１２８）とを備え、
前記踵当接部及び前記つま先当接部のうちの少なくとも１つが、他方に対して移動可能になっており、
前記踵当接部（１８；１１９）及び前記つま先当接部（２０；１３２）の相対移動にしたがって、前記収容および支持する手段（２４；１３０）に収容および支持されたタッチスクリーン電算機器（１２；１３１）および前記接触手段（３０；１２８）のうちの少なくとも１つが、他方に対して移動可能になっており、
前記足の長さは、前記踵当接部（１８；１１９）及び前記つま先当接部（２０；１３２）が前記足に接したときの、前記接触手段（３０；１２８）の前記タッチスクリーン電算機器（１２；１３１）のスクリーン（３２；１３６）への接触に基づいて示されるようになっている、足長測定器。
【請求項２】
前記踵当接部が前記足支持体に対して固定され、
前記つま先当接部が、前記踵当接部に向かう方向又は前記踵当接部から離れる方向に長手直線方向に移動可能になっている、請求項１に記載された足長測定器。
【請求項３】
前記つま先当接部が、前記踵当接部から離れる位置へと弾性的に付勢されている、請求項２に記載された足長測定器。
【請求項４】
前記つま先当接部は、前記足支持板のガイドスロットを通って突出する下向きの突起を有し、前記ガイドスロットは前記長手直線方向に延在する、請求項２又は請求項３に記載された足長測定器。
【請求項５】
前記タッチスクリーン電算機器を収容および支持する手段が、前記足支持板の下に支持トレイを備え、前記支持トレイの幅は、使用時に前記タッチスクリーン電算機器が直線的に長手方向に摺動することを可能にする幅であり、前記タッチスクリーンの面は前記足支持板の主平面と平行にされ、前記支持トレイは、前記タッチスクリーン電算機器を収容するために前端が開いている、請求項４に記載された足長測定器。
【請求項６】
前記つま先当接部の前記下向きの突起は、使用時に前記タッチスクリーン電算機器の後端部と接触するように、前記支持トレイ内に下向きに伸びており、前記タッチスクリーン電算機器を後ろ向きに移動させると、前記つま先当接部が後ろ向きに移動して前記足と接触するようになっている、請求項５に記載された足長測定器。
【請求項７】
前記足支持板は、一対の足を置くようになっており、前記踵当接部は両方の足のかかとと接触するために必要な大きさであり、前記つま先当接部は片方又は両方の足の最先端部と接触するために必要な大きさになっている、請求項４から請求項６までのいずれか一項に記載された足長測定器。
【請求項８】
前記足長測定器の使用時に、２本の足の間の中央に位置するように、前記ガイドスロットが配置される、請求項７に記載された足長測定器。
【請求項９】
前記接触手段が可動ポインタを備え、該可動ポインタは、前記足支持体に対して固定位置に設けられ、使用時に前記タッチスクリーン電算機器から離れる方向に弾性的に付勢されるが、前記タッチスクリーン電算機器のスクリーンと接触するように選択的に移動可能となっている、請求項１から請求項８までのいずれか一項に記載された足長測定器。
【請求項１０】
前記ポインタは、前記足支持体に対して複数の固定された位置間を移動でき、かつ固定できるようになっている前方部分に設けられている、請求項９に記載された足長測定器。
【請求項１１】
前記足支持体の協働する孔に係合する押し下げ／ねじれ差し込みピン機構を有する１つ以上のボタンによって、前記前方部分が固定されるようになっている、請求項１０に記載された足長測定器。
【請求項１２】
前記足支持体は、床と接触するために下方に伸びる支持部材を備える、請求項１から請求項１１までのいずれか一項に記載された足長測定器。
【請求項１３】
前記タッチスクリーン電算機器を収容および支持する手段は、前記接触手段の下で前記足支持板上を摺動するために、前記つま先当接部の前方に取り付けられる支持ブロックを備える、請求項２に記載された足長測定器。
【請求項１４】
前記支持ブロックは、２つの側方のガイドレールの間で前記踵当接部に向かう方向又は前記踵当接部から離れる方向の前記支持ブロックの移動を案内するための平行な側壁を有する、請求項１３に記載された足長測定器。
【請求項１５】
前記接触手段は、２つの側方のガイドレールに架け渡されるブリッジを含み、前記ブリッジが有する孔を通じて指がスクリーンに接触できるようになっている、請求項１４に記載された足長測定器。
【請求項１６】
前記支持ブロックは、前記タッチスクリーン電算機器を収容するために中央にくぼみを有する箱部を備え、前記箱部の厚さは、前記タッチスクリーン電算機器の厚さよりもわずかに大きく、前記ブリッジの高さと同じにされており、前記ブリッジの下で摺動できるようになっている、請求項１５に記載された足長測定器。
【請求項１７】
前記ブリッジは、前記足支持板の平面内に折り畳み可能になっている、請求項１５又は請求項１６に記載された足長測定器。
【請求項１８】
多数の折り畳み可能なブリッジが、前記踵当接部の前方に間隔を置いて配置されており、足の長さに応じて１つのブリッジが前記支持ブロックとの協働のために持ち上げられるようになっている、請求項１７に記載された足長測定器。
【請求項１９】
前記足支持板に取り付けられ、前記足支持板に対して垂直な位置に保持可能である壁に、前記踵当接部が設けられている、請求項１３乃至請求項１８のいずれか一項に記載された足長測定器。
【請求項２０】
前記踵当接部は、かかとの位置を決める構造を提供するために前記壁から折られるようになっている、請求項１９に記載された足長測定器。
【請求項２１】
前記足長測定器は、折り畳まれたボール紙から形成される、請求項１３から請求項１８までのいずれか一項に記載された足長測定器。
【請求項２２】
前記タッチスクリーン電算機器を含む、請求項１乃至請求項２１のいずれか一項に記載された足長測定器を備える足長測定器装置。
【請求項２３】
前記タッチスクリーン電算機器は、前記タッチスクリーン電算機器を収容および支持する手段から取り出し可能になっている、請求項２２に記載された足長測定器装置。
【請求項２４】
前記タッチスクリーン電算機器は、前記スクリーンが接触されると足の長さを示すようにプログラムされる、請求項２２又は請求項２３に記載された足長測定器装置。
【請求項２５】
前記タッチスクリーン電算機器は、足の長さを表示する度に、履物の入手可能性を示すようにプログラムされる、請求項２４に記載された足長測定器装置。
【請求項２６】
足長測定器装置により足の長さを示す方法であって、該足長測定器が、
足支持板、
互いに移動可能なつま先当接部および踵当接部、
タッチスクリーン電算機器を収容および支持する手段により収容および支持されたタッチスクリーン電算機器、並びに
前記つま先当接部および前記踵当接部のうちに１つに取り付けられた接触手段であって、前記つま先当接部および前記踵当接部の相対移動にしたがって前記タッチスクリーン電算機器のスクリーンに接触するための接触手段
を備え、前記方法が、
足の裏側を前記足長測定器の前記足支持板に載せるステップと、
前記つま先当接部および前記踵当接部の相対移動にしたがって、前記タッチスクリーン電算機器および前記接触手段のうちの１つを他方に対して移動させるステップと、
前記足の踵が前記踵当接部に接し、前記足のつま先が前記つま先当接部に接すると、前記接触手段を使って前記タッチスクリーン電算機器のスクリーンに接触し、前記足の長さを、前記接触手段の前記タッチスクリーン電算機器のスクリーンとの接触に基づいて示すステップと
を含む、足の長さを示す方法。
【発明の詳細な説明】
【技術分野】
【０００１】
本発明は、足の長さを測定するための足長測定器に関するものであり、限定するものではないが、とりわけ履物の正しいサイズを決定するための足長測定器に係るものである。この足長測定器は、性別または年齢にかかわりなく、足の測定に用いることができる。
【背景技術】
【０００２】
足の長さの測定のための多くの種類の足長測定器が知られている。これらは、印刷された目盛上に特定の靴の大きさを示す、簡単かつ携帯可能な手動の装置から、ディスプレイスクリーン及びモータ駆動の足係合プレートを有する複雑な据置型装置まで範囲が及んでいる。これらの公知の装置は、効果的に作動するものではあるが、携帯性および製品の有用性について、すべての問題に対処するというわけではない。
【発明の概要】
【課題を解決するための手段】
【０００３】
本発明の第１の観点によれば、足の長さを測定するための足長測定器が提供される。この足長測定器は、
（ｉ）足の裏面を載せる足支持板を有する足支持体と、
（ｉｉ）足のかかとと接触する踵当接部と、
（ｉｉｉ）足の最先端部と接触するつま先当接部と、
（ｉｖ）タッチスクリーン電算機器の収容手段と、
（ｖ）タッチスクリーン電算機器のスクリーンが、足の長さを示すために接触されることを可能にする接触手段と
を備え、踵当接部及び足指当接部は互いに移動可能になっている。
【０００４】
好ましい具体例によれば、踵当接部は足支持体に対して固定される。そして、つま先当接部は踵当接部に向かう方向、または、踵当接部から離れる方向に、長手直線方向に移動可能である。そして、つま先当接部は、踵当接部から離れる位置に弾性的に付勢されることが理想的である。
【０００５】
ある具体例によれば、つま先当接部は足支持板のガイドスロットを通って下方に突出する突起を有する。ガイドスロットは、長手直線方向に延在する。タッチスクリーン電算機器の収容手段は、足支持板の下に支持トレイを備え、支持トレイの幅は、使用時にタッチスクリーン電算機器が直線長手方向に摺動することを可能にする幅であり、スクリーンの面は足支持板の主平面と平行にされ、支持トレイは、タッチスクリーン電算機器を収容するために前端が開いていることが好ましい。
【０００６】
つま先当接部の下向きの突起は、使用時にタッチスクリーン電算機器の後端部と接触するように、支持トレイ内に下向きに伸びており、タッチスクリーン電算機器を後ろ向きに移動させると、つま先当接部が後ろ向きに移動して足と接触するようになっていることが好ましい。
【０００７】
通常、足支持板は、一対の足を受けるのに適しており、踵当接部は両方の足のかかとと接触するために必要な大きさにされ、つま先当接部は片方または両方の足の最先端部と接触するために必要な大きさにされる。ガイドスロットは、通常、足長測定器の使用時に２本の足の間の中央に位置するように配置される。
【０００８】
好ましい実施例では、接触手段は可動ポインタを備え、可動ポインタは、足支持体に対して固定位置に設けられ、使用時にタッチスクリーン電算機器から離れる方向に弾性的に付勢されるが、タッチスクリーン電算機器のスクリーンと接触するように選択的に移動可能となっている。ある配置では、ポインタは、足支持体に対して複数の固定された位置間で移動可能、かつ固定可能である前方部分に設けられている。好ましくは、前方部分は、足支持体の協働する孔に係合する押し下げ／ねじれ差し込みピン機構を有する１つ以上のボタンによって、固定されるようになっている。
【０００９】
足支持体は、床と接触するために下方に伸びる支持部材を備えることが好ましい。
【００１０】
本発明の第２の観点によれば、タッチスクリーン電算機器と連動する、上述した足長測定器を備える足長測定器の配置が提供される。
【００１１】
ある配置では、タッチスクリーン電算機器は、収容手段から取り出し可能とすることができる。理想的には、スクリーンが接触されるときに、タッチスクリーン電算機器は足の長さを示すようにプログラムされる。そして、好ましくは、タッチスクリーン電算機器は足の長さを表示するための履物の入手可能性を示すようにプログラムされる。
【００１２】
次に、本発明の実施例を更に詳細に説明する。
【図面の簡単な説明】
【００１３】
添付の図面を参照しながら説明する。
【図１】タッチスクリーン電算機器が付帯した本発明の足長測定器を備える足長測定器の配置の斜視図。
【図２】使用中の図１の足長測定器配列の斜視図。
【図３】図１の足長測定器配列の使用中のその後の斜視図。
【図４】図１の足長測定器配列の使用中のさらに後の斜視図。
【図５】靴の大きさを表示する図１の足長測定器の配置の平面図。
【図６】測定される足を省略した、図５のＶＩ−ＶＩ線における横方向の断面図。
【図７】図１に示される足長測定器の平面図。
【図８】図７の足長測定器のＶＩＩＩ−ＶＩＩＩ線における長手方向の断面図。
【図９】測定される足を省略した、使用中の図１の足長測定器の配置の平面図。
【図１０】図９に示される足長測定器の配置のＸ−Ｘ線における長手方向の断面図。
【図１１】本発明による他の足長測定器の配置の平面図。
【図１２】図１１のＡＡ線における断面図。
【図１３】異なる構成の図１１の配置の平面図。
【図１４】図１３のＡＡ線における断面図。
【図１５】組み立てられ中の本発明の他の足長測定器の配置の斜視図。
【図１６】組み立ての後の段階の図１５と同様の斜視図。
【図１７】組み立ての後の段階の図１６と同様の斜視図。
【図１８】測定される足を省略した、使用中の他の足長測定器の図１７と同様の斜視図。
【図１９Ａ】測定の実施を示すＹ―Ｙ線における横方向の断面図。
【図１９Ｂ】測定の実施を示すＹ―Ｙ線における横方向の断面図。
【発明を実施するための形態】
【００１４】
図１〜図１０に、足１１の長さの測定に用いられる足長測定器１０を示す。この足長測定器１０は一対の足１１を一緒に測定するものとして示されるが、この足長測定器は１つの足を別々に測定するように容易に改良できる。この足長測定器１０は、タッチスクリーン電算機器（ＴＣＤ）１２、例えば、ＩＰａｄ（登録商標）装置とともに使われる。足長測定器を用いて足１１を測定するための有効な足長測定器の配置を構成するために、この種のＴＣＤは容易にプログラムすることができる。
【００１５】
足長測定器１０は、足１１の裏面を載せる上面１６を有する足支持板１５を備える。足支持板１５は、その２つの反対側に配置された外側縁部の各々で下方へ伸びる支持部材１７（ここでは曲げられている）を備えている。そして、支持板１５がいくらか高くなるように、支持部材１７は床または他の支持面（図示せず）と接触する。もちろん、各コーナーに簡単な脚のような代わりの支持部材を用いることも可能である。
【００１６】
足支持板１５の後部には、踵当接部１８が直立している。踵当接部１８は、本実施例では、わずかに前方に凹凸のある前向き面１９を有する。足１１のかかとは踵当接部１８と接触する。そして、前向き面１９は、支持板１５上で足を正しく位置決めできるように、解剖学的に凹凸が輪郭形成されていると理想的である。  
【００１７】
足支持板１５の前端の方に、つま先当接部２０が直立している。つま先当接部２０は、中央に、下方に伸びる突起２１を有する。この突起２１は、足支持板１５の直線スロット２２を通じて下方へ突出している。スロット２２は、踵当接部１８の中央に向かって、長手直線方向に伸びている。つま先当接部２０が踵当接部１８に向かう方向、かつ、踵当接部１８から離れる方向に移動できるように、スロット２２は突起２１のためのガイドとして作用する。つま先当接部２０は、反対位置に配置された後向き面２３を有している。後向き面２３は、つま先当接部２０が踵当接部１８に向かう方向、または、踵当接部１８から離れる方向に移動する際は、踵当接部１８と概ね平行のままである。
【００１８】
足支持板１５の下には、ＴＣＤ１２を摺動可能に収容するための支持トレイ２４（開口前面２５を有する支持トレイ２４）がある。トレイ２４は、支持板１５と概ね平行であるベース２６を有し、ベース２６は、接続側壁２７によって足支持板１５の下面へ接続される。接続側壁２７間の横方向の距離は、理想的にはＴＣＤ１２の幅と合っているため、ＴＣＤが支持トレイ２４の開口前面２５を通じて内外に正確に摺動できるように位置決めされる。
【００１９】
つま先当接部２０の下向きの突起２１は、２８においてトレイ内に突き出て、ＴＣＤが支持トレイ２４に挿入されるときに、ＴＣＤ１２の後向き壁２９と接触する。
【００２０】
足支持板の前端には、ＴＣＤがトレイ２４に挿入されるときに、ＴＣＤ１２から離れて上方に付勢された可動ポインタ・ボタン３０がある。ポインタ３０には最低位置に接触点３１があり、ポインタ３０が付勢力に抗して下方へ押圧されると、接触点３１はＴＣＤ１２のタッチスクリーン３２と接触する。図示する実施形態では、付勢作用は小さいコイルスプリング３３によるものであるが、他の付勢機構も適用可能である。
【００２１】
可動ポインタ／ボタン３０は、足支持板１５から隆起した前方部分３４に取り付けられる。この前方部分は、つま先当接部２０の前方への移動を制限する当接部としても作用する。図示しないが、前方部分３４の方へ、すなわち踵当接部から離れる方へ、つま先当接部２０は弾性的に付勢される。この配置は図１に明確に示されている。つま先当接部の付勢作用は、ばねまたは他の好適な装置／機構によって容易に達成できる。
【００２２】
つま先当接部と踵当接部との間の距離が分かるという点で、つま先当接部２０と前方部分４との接触は足長測定法に関して効果的に基準点を設定できる。
【００２３】
足長測定器配置の使用を、図２〜図５に明確に示す。測定される足１１は、足支持板１５の上面１６に載せられる。人は足長測定器１１の上に立つことが好ましい。直線のスロット２２の両側に足１１を置いた状態で、各足１１の後部は踵当接部１８の前向き面１９に接触して配置される。この位置は、図２に示されており、ＴＣＤ１２が、開口前面２５を通じて支持トレイ２４に挿入されようとしている。
【００２４】
その後向き壁２９がつま先当接部２０の下向きの突起２１の一部２８に接触するまで、ＴＣＤ１２は長手方向に後向きに摺動して動かされる。ＴＣＤ１２は、長手方向後向きにさらに動かされることができる。これにより、後向き面２３が足１１の最先端の１つ又は複数の点に接触するまで、つま先当接部２０が後ろ向きに踵当接部１８の方へ進む。理想的には（必ずしもそうでなくともよいが）、ＴＣＤ１２の重量及び支持トレイ２４との摩擦は、つま先当接部２０をその最前方位置に戻すように作用する付勢力に打ち勝つのに十分な大きさである。そのため、つま先当接部２０は、手で援助することなく、足１１に対する位置を保持する。
【００２５】
一旦つま先当接部２０が足１１と接触すると、可動ポインタ／ボタン３０をばね３３の力に抗して押すことができ、それにより、適切な作動接触を記録するために、最低位置の接触点３１がＴＣＤ１２のスクリーン３２と接触する。次に、ポインタ／ボタン３０が解放されて安定位置に戻る。
【００２６】
図５は、足１１の正しい大きさを示しているＴＣＤ１２の単純な図である。一旦、大きさが記録されると、ＴＣＤ１２を支持トレイ２４から取り出すことができ、つま先当接部２０は前述の付勢作用によって、その最前方の位置に戻る。
【００２７】
ＴＣＤ１２は、つま先当接部２０が足支持板１５の固定された前方部分３４に接して最前方位置にある場合にＴＣＤ１２が下向きの突起２１と接触するとき、特定の最大の大きさを（ポインタ／ボタン３０の起動の時点で）表示するように、そのタッチスクリーン３２上に原寸大の足定規プログラムを組み込むように適合される。なぜなら、踵当接部とつま先当接部との間の最大距離は既知であるためであるである。ＴＣＤ１２が更に挿入されてつま先当接部２０が後方に移動すると、ポインタ／ボタン３０の位置は、ＴＣＤ１２のタッチスクリーン３２上の定規に対して有効に移動し、ポインタ／ボタン３０がスクリーン３２に対して押されると、異なる、すなわちより小さい靴の大きさを示す。
【００２８】
測定された特定の大きさの足用にどのような特定のスタイルの履物の在庫があるかを販売員がすぐに知ることができるように、ＴＣＤ１２は在庫管理システム（図示しない）と接続できる。在庫管理システムは、興味のある履物を選択できるように、スタイル画像を取り込んで、顧客が試し履きできるようにしている。ＴＣＤ１２は、この在庫管理システムを搭載してもよい。あるいは、在庫管理システムのホストとなる中央コンピュータと無線ネットワークを介して通信できることが理想的である。  
【００２９】
履物の種類によっては、足１１の幅または周囲長さを、別々に測定することもできる。そして、この情報はタッチスクリーンに表示される適切なプログラムによって入力できる。この追加の測定値によって、履物（とりわけ、子供の履物）のより良好な選択が可能となるが、もちろん、在庫の利用にも有効であるかもしれない。
【００３０】
在庫管理システムは、在庫切れの履物を注文して、後に店に配達するため、又は顧客の自宅に配達するために、動作することもできる。他の改良としては、もちろん、顧客の足の大きさを測定するために元々用いているＴＣＤ１２にリンクされることができる。
【００３１】
上述した足長測定器の配置は、固定された踵当接部及び固定されたポインタを備えており、つま先当接部及びＴＣＤは足を測定するために一緒に移動可能になっている。しかしながら、他の変形例が可能であることが容易に理解されるだろう。例えば、踵当接部及びＴＣＤを固定配置とし、ポインタを組み込んだつま先当接部を踵当接部に向かう方向に、かつ、踵当接部から離れる方向に、移動可能にすることができる。他の変形例としては、踵当接部及びつま先当接部を移動可能とし、ポインタをそれらの一方に固定し、ＴＣＤを他方とともに移動可能とすることができる。
【００３２】
上述の配置において、ポインタ３０は、足支持板１５に対して位置を固定された前方部分３４に設けられている。測定できる足の長さ範囲は、ＴＣＤスクリーン３２の長さにいくらか依存している。図１１〜図１４に示される配置では、前方部分３４は、足支持板１５に取り外せないように固定されるのではなく、関連する足支持板１５の複数対の孔部６０、６１によって規定される２つの設定された位置の間で、長手方向に移動可能になっている。１つの一対の孔部６０は、他の一対の孔部６１よりも踵当接部１８の近くに位置する。前方部分３４は、２つの位置を移動することができて、長手方向の運動に抗して、２つの位置のうちの１つに固定されることが可能である。つま先当接部２０は、ＴＣＤによって押されると、前方部分３４から離れて踵当接部１８に向かって移動することができ、そして、ＴＣＤが取り出されると、前方部分に接触するように再び前向きに弾性的に付勢される。
【００３３】
前方部分の２つの（又は必要に応じてさらに多くの）位置により、おそらく子供用及び成人用に、足長を測定するための異なる基準位置が可能になる。位置の選択は、プログラム又はＴＣＤにロードされる「アプリ」に組み込むことができる。ポインタが押されるときに正しい大きさ情報を保証するために、２つの前方部分位置のうちのどちらが使用されたかはユーザが入力する。
【００３４】
例示される特定の配置において、前方部分３４は足長測定器の長手方向に摺動するように取り付けられ、両側には回転可能な複数のボタン７０を備えている。各ボタン７０は、取り付けられたコイルバネによって上向きにバネ付勢され、そして、各ボタン７０は最も低い位置に突起７２および上部に把持フランジ７３を有している。公知の差し込みピン機構（図示しない）によって、１度押してひねる動作によって各ボタン７０を４分の１回転させ、突起７２を上昇又下降位置に移動させて保持することができる。突起７２は、支持板１５の一対の孔部６０、６１に位置合わせされるときにだけ下降位置をとることができる（図１１及び図１２）。突起７２が上げられ、次に、突起７２を一対の孔部６０、６１（図１３及び図１４）に位置合わせするために前方部分３４を摺動することができる。突起７２が孔部と係合すると、前方部分は足支持板に対して効果的に固定される。次に、つま先当接部２０を前方部分３４から離すことができ、図１〜図１０に関連して上述した手法で足を測定できる。
【００３５】
当然のことながら、ＴＣＤ用の適切なプログラムの修正と併用して、前方部分３４は２つ以上の位置をとることができる。また、使用中の足支持板１５に対する移動について前方部分３４の位置を決める機構は、単なる適切な機構の一例である。
【００３６】
図１５〜図１９に、足測定用の別の足長測定器１１０を示す。この足長測定器１１０は、理想的にはボール紙またはこの目的のための十分な剛性を有する他のシート材料から折り畳まれる。足長測定器１１０は、店内使用というよりはむしろ家庭使用を目的とするほうが向いている。消費者は、店で平板状包装として足長測定器１１０を受け取るか、または郵便／宅配便によって平板状包装を受けとる。いくつかの実施例において、図１５〜図１９に図示したように、足長測定器１１０は、中央の背１１３で折られて繋がった前後のカバー１１１、１１２を有するファイルと形状が類似している。
【００３７】
後カバー１１２は、使用説明書１１４および／または子供の足の成長を記録するためのシートを組み込むことができる。後カバー１１２と中央の背１１３の折りたたみ接合部から、壁１１５が直立している。壁１１５は、図に示すように、足長測定器のファイルが最後まで折り畳まれると、床と直角をなすようになっている。使用中に背１１３に対して直立した位置で壁を支持できるように、一つ以上の折り畳み補強板を、壁１１５の背後に設けることができる。足長測定器ファイルを閉じたときに、壁１１５が前カバー１１１の邪魔にならないように、壁１１５の高さは、背の幅よりも狭くなっている。壁は、中央位置１１７に固定された所定長さのボール紙１１６を包含する。ボール紙１１６の長さの両端部１１８は、中央位置の方へ内側に摺動し、適切な連結構成（不図示）を用いて適当な位置に固定されて、測定される足の後部を受けるための略Ｃ字形（平面視で）の踵当接部１１９を形成する。
【００３８】
踵当接部１１９の前方において、足支持板を事実上構成する前カバー１１１には、わずかに立ち上がった２枚の板１２０、１２１が含まれ、２枚の板１２０、１２１は、前カバー１１１と背１１３との折り目に対して垂直な一対の平行な案内レール１２２を構成する。一連のボール紙のブリッジ部材１２３が、前カバー１１１の溝１２４に設けられている。各ブリッジ部材１２３は、一端が第１の板１２０の下に固定されるが、第２の板１２１の下に摺動可能に配置される。各ブリッジ部材１２３は、その固定端から遠いほうに一連の折畳部１２５及びつまみ１２６を有する。各ブリッジ部材１２３は、摺動／持上げ動作によって操作でき、各ブリッジ部材１２３が、案内レール１２２間の表面上に矩形の橋１２７を形成するようになっている。このことは、図１２に明らかに示されている。使用に際して、測定される足の長さに応じて、一度に１つのブリッジ部材１２３だけを上げる。そして、ブリッジ部材１２３は、踵当接部１１９から複数の距離毎に段階的に設けられる。各ブリッジ部材は、中央の孔１２８を有しているが、この目的については後述する。
【００３９】
タッチスクリーン電算機器（ＴＣＤ）１３１を収容するために、支持ブロック１３０が設けられている。この実施例では、ＴＣＤ１３１は、タッチスクリーン１３６を有するスマートフォン（多機能電話）の形態である。支持ブロック１３０は、ボール紙の平坦なシートから折り畳むことができて、つま先当接部１３２と、ＴＣＤをぴったり収容するための中央のくぼみ１３４及び床１３５を有する箱部トレイ１３３とを備える。例えば、くぼみの大きさは、ＴＣＤの様々な大きさに適応するように、折り目または成形された挿入物によって変えることもできる。通常、箱部トレイ１３３の高さは、ＴＣＤの厚さよりもわずかに大きく、各ブリッジ１２７の高さとほぼ同じである。箱部の幅は、踵当接部１１９に向かう方向及び踵当接部から離れる方向に案内されて移動するために、案内レール１２２間に摺動可能に受け取られ得るようになっている。
【００４０】
図１７に示すように、ブリッジ１２７の１つを持ち上げて、箱部トレイ１３３をブリッジ１２７の下に摺動可能に挿入することができる。そして、踵当接部に向かう方向及び踵当接部から離れる方向の摺動動作は、平行な案内レール１２２によって案内される。次に、ＴＣＤがトレイ１３３の位置に挿入され、ＴＣＤのスクリーン１３６がブリッジの孔１２８の下で長手方向に移動するようにされる。
【００４１】
足は示していないが、図１８は使用中の足長測定器１１０を示す。測定される足は、足のかかとが踵当接部１１９に接触した状態で足長測定器１１０上に載せられる。足の測定は、床に理想的に広げられた足長測定器１１０を用いて足へユーザの体重をかけて行われるべきである。各ブリッジ部材１２３は重ねられる足の大きさに関連付けられており、おそらく使用説明書１１４によって示される概算の見積もりに従って、適切なブリッジ部材１２３が持ち上げられるようになっている。次に、ＴＣＤを有する支持ブロック１３０が、末端のつま先がつま先当接部１３２に接触するまで足に向かって移動される。次に、測定者は、孔１２８の上に指を置いて、ＴＣＤのスクリーン１３６に接触するように、下方へブリッジ１２７を撓曲させる。そうして、ＴＣＤ１３１は、スクリーン上に足長を表示する。
【００４２】
ＴＣＤ１３１は、孔１２８からつま先当接部までの距離を効果的に測定するプログラムまたは「アプリ」を搭載している。そして、これは孔１２８から踵当接部１１９までの既知の距離と結びつけられる。ユーザが行う必要があるのは、計算において正しい孔１２８／踵当接部１１９距離が使用されるように、どのブリッジ部材１２３を使用するかを入力することだけである。図１〜図１０の第１実施例に関して上述したＴＣＤの機能は、代替の実施例にも同様に適用できる。同様に、ＴＣＤ１３１は、電話である必要はなく、タッチスクリーンを有するより大きな、「タブレット」型のデバイスであってもよい。
【００４３】
添付の請求の範囲を逸脱することなく、足長測定器の製造の正確な設計および材料を修正できることも理解されるだろう。
【図１】
0006014667.tif 000002
【図２】
0006014667.tif 000003
【図３】
0006014667.tif 000004
【図４】
0006014667.tif 000005
【図６】
0006014667.tif 000006
【図７】
0006014667.tif 000007
【図８】
0006014667.tif 000008
【図９】
0006014667.tif 000009
【図１０】
0006014667.tif 000010
【図１１】
0006014667.tif 000011
【図１２】
0006014667.tif 000012
【図１３】
0006014667.tif 000013
【図１４】
0006014667.tif 000014
【図１５】
0006014667.tif 000015
【図１６】
0006014667.tif 000016
【図１７】
0006014667.tif 000017
【図１９ａ】
0006014667.tif 000018
【図１９ｂ】
0006014667.tif 000019
【図５】
0006014667.tif 000020
【図１８】
0006014667.tif 000021